(57)【要約】【課題】係止部が不使用状態であっても、悪戯されることのない錠装置の提供を目的とする。【解決手段】施錠対象物１に形成された被係止部２を施錠状態において連結解除不能に連結し、連結状態において外部から隠蔽される係止部３を備えた錠本体４と、  錠本体４の施錠状態において、不使用の係止部３に脱離不能に連結されて該係止部３を外部から隠蔽する錠保護部材５とから構成する。【選択図】  図１
2006274548.tif 000002
【特許請求の範囲】
【請求項１】
施錠対象物に形成された被係止部を施錠状態において連結解除不能に連結し、連結状態において外部から隠蔽される係止部を備えた錠本体と、
錠本体の施錠状態において、不使用の係止部に脱離不能に連結されて該係止部を外部から隠蔽する錠保護部材とからなる錠装置。
【請求項２】
前記係止部は錠本体に開設された受容孔内に配置され、
錠保護部材は、受容孔内に挿入されるキャップ状部材として形成される請求項１記載の錠装置。
【請求項３】
施錠対象物に形成された被係止部を施錠状態において連結解除不能に連結する係止部を備えた錠本体の不使用係止部に装着される錠保護部材であって、
錠本体の施錠状態において前記係止部により連結解除不能に連結される連結部と、
連結状態において前記係止部を外部から隠蔽する隠蔽部と、
を有する錠保護部材。
【発明の詳細な説明】
【技術分野】
【０００１】
本発明は、錠装置に関するものである。
【背景技術】
【０００２】
適宜の施錠対象を施錠可能に連結する錠装置としては、特許文献１、２に記載されたものが知られている。特許文献１記載の従来例において、錠アセンブリーは施錠対象側に形成される錠止部材（被係止部）を脱離不能に受容する複数のドッキングポート（受容孔）を有しており、利用者は空いているドッキングポートに施錠対象物の被係止部を解除不能に係止させることにより盗難等が防止される。
【０００３】
しかし、上述した従来例において、不使用のドッキングポートは開放状態のままに放置されるために、悪戯の対象とされるおそれがある。
【０００４】
かかる事情は、例えば、特許文献２記載の従来例のように、ワイヤの固定孔（受容孔）が１個しか設けられない場合であっても、施錠対象（ワイヤ）を抜去した使用状態が想定される場合にも発生する。
【特許文献１】特表２００２-５２２１８９号公報
【特許文献２】特開２００１-１９６７号公報
【発明の開示】
【発明が解決しようとする課題】
【０００５】
本発明は、以上の欠点を解消すべくなされたものであって、係止部が不使用状態であっても、悪戯されることのない錠装置の提供を目的とする。
【０００６】
本発明の他の目的は、この錠装置に利用可能な錠保護部材の提供にある。
【課題を解決するための手段】
【０００７】
本発明によれば上記目的は、
施錠対象物１に形成された被係止部２を施錠状態において連結解除不能に連結し、連結状態において外部から隠蔽される係止部３を備えた錠本体４と、
錠本体４の施錠状態において、不使用の係止部３に脱離不能に連結されて該係止部３を外部から隠蔽する錠保護部材５とからなる錠装置を提供することにより達成される。
【０００８】
錠本体４は、例えばチェーン、ワイヤ、施錠杆等の施錠対象物１に形成された被係止部２を施錠状態で解除不能に連結可能であり、錠保護部材５は、被係止部２を係止する係止部３が不使用の時に該係止部３に連結される。錠保護部材５は係止部３に連結した状態において、隠蔽部８により係止部３を外部から隠蔽し、係止部３への悪戯が防止される。
【発明の効果】
【０００９】
本発明によれば、係止部が不使用状態であっても、係止部を外部から隠蔽することができるために、係止部への悪戯を防止できる。
【発明を実施するための最良の形態】
【００１０】
図１にチェーン錠として構成された本発明の実施の形態を示す。チェーン錠は、施錠対象物１としてのチェーン状拘束体を施錠状態において解除不能に連結する錠本体４と、錠本体４に装着される錠保護部材５とからなる。
【００１１】
チェーン状拘束体１は、切断破壊等に十分な耐性をもった材料により屈曲可能に形成される一般部１ａの先端に錠挿入部１ｂを形成して構成される。錠挿入部１ｂには、外周を全周に渡って溝状に窪ませて被係止部２が形成される。
【００１２】
図２に示すように、錠本体４は、外郭部材４ａにより覆われたハウジング４ｂに回転操作可能なプラグ９を保持して形成される。プラグ９はキー挿入孔９ａから挿入される真正な解錠キー（図示せず）によってのみ回転操作可能であり、図１（ｂ）に示す施錠回転位置に対して時計回りと反時計回りに９０°回転した位置に解錠回転位置が設定される。図２に示すように、プラグ９の終端には、プラグ９の回転中心（Ｃ）に対して偏心したカム突部９ｂが設けられ、後述する駆動部材１０に連結される。
【００１３】
上記ハウジング４ｂにはチェーン挿入孔（受容孔６）が開設される。このチェーン挿入孔６は、図２、３に示すように、プラグ９を挟んで線対称位置に配置される２本の平行なチェーン挿通線（Ｌｃ）上に２個が配置され、図３（ａ）に示すように、各々がハウジング４ｂの側壁に開口される。
【００１４】
図３（ａ）に示すように、各チェーン挿入孔６の近傍にはロックピース１１が配置される。ロックピース１１は、プラグ９の中心軸（Ｃ）とチェーン挿通線（Ｌｃ）に対してねじれの位置にあり、かつ、これらと交差角９０°で立体的に交差する枢軸１１ａ回りに回転自在に枢支される。
【００１５】
また、ロックピース１１は、短辺部が上記錠挿入部１ｂの被係止部２の曲率にほぼ一致する小判形状を有し、回転姿勢により、一方の短辺部（係止部３）が図４（ａ）に示すように、チェーン挿入孔６内に進入したり、あるいは図５（ｂ）の右側に示すように、チェーン挿入孔６から退避することができる位置で軸支される。
【００１６】
係止部３がチェーン挿入孔６内に進入した後、オーバランして再びチェーン挿入孔６から退避するのを防止し、係止部３がチェーン挿入孔６内に進入する回転位置（係止回転位置）にロックピース１１を停止させるために、ハウジング４ｂには、ロックピース１１のストッパ突起１１ｂに衝接するストッパ壁４ｃが設けられる。さらに、ロックピース１１は回転中心に対して点対称形状に形成され、係止部３に対向する他の短辺部において上記ストッパ突起１１ｂに対応するものは、操作突起１１ｃとして利用される。
【００１７】
これに対し、係止部３がチェーン挿入孔６から退避するロックピース１１の係止解除回転位置側のストローク終端は、図５（ｂ）に示すように、係止部３の側辺が当接するハウジング４ｂの解除側ストローク規制壁４ｄにより決定される。
【００１８】
さらに、このロックピース１１は、付勢手段１２により係止回転位置側に付勢される。図３（ｂ）に示すように、この実施の形態における付勢手段１２は、ロックピース１１の枢軸１１ａに形成される小判断面部１２ａと、この小判断面部１２ａの平面部を挟む板ばね１２ｂにより形成される。ロックピース１１が係止解除回転位置まで回転した場合にも付勢力が発生するように、小判断面部１２ａの平面部と曲率部との境界は、ロックピース１１が係止解除回転位置まで回転した場合であっても、板ばね１２ｂに当接するように設定される。
【００１９】
図３（ａ）に示すように、同一チェーン挿通線（Ｌｃ）上のロックピース１１は、小判断面部１２ａの姿勢を基準に左右勝手違い形状を有しており、ストッパ突起１１ｂがチェーン挿入孔６の開口方向を向くように背向し、操作突起１１ｃが互いに対向するように配置される。
【００２０】
したがってこの実施の形態において、図３に示すように、チェーン状拘束体１の錠挿入部１ｂがチェーン挿入孔６に挿入されていない状態では、ロックピース１１は付勢手段１２により係止回転位置に保持される。プラグ９を施錠回転位置にした状態でチェーン状拘束体１の錠挿入部１ｂをチェーン挿入孔６に挿入すると、図４（ａ）において右側に示すように、ロックピース１１は錠挿入部１ｂの先端に押されて係止解除回転位置側に回転し、錠挿入部１ｂをチェーン挿入孔６内に受容する。
【００２１】
この状態では、図４（ｂ）の右側に示すように、ロックピース１１は付勢手段１２により係止回転位置側に付勢されており、さらに錠挿入部１ｂを挿入して係止部３の回転軌跡に被係止部２が合致すると、図４（ａ）の左側に示すように、付勢力によりロックピース１１は係止回転位置に復帰し、両者は係止状態に移行する。ロックピース１１は、係止回転位置からのオーバランがストッパ壁４ｃにより規制されているために、係止状態で錠挿入部１ｂに抜去方向の荷重を負荷しても、錠挿入部１ｂが抜けることはなく、連結状態が維持される。
【００２２】
この係止状態の解除は、プラグ９を操作して上記駆動部材１０を駆動することにより行われる。図２（ｂ）に示すように、駆動部材１０は、プラグ９の中心線（Ｃ）に直交する面内で、チェーン挿通線（Ｌｃ）に沿って移動自在なプレート体であり、中心部に開設される長孔１０ａに、プラグ９と一体に回転するカム突部９ｂが挿通される。カム突部９ｂは、プラグ９を双方の解錠回転位置まで回転させたときの回転ストロークの中心がプラグ９の施錠回転位置における位置に合致するように設定される。
【００２３】
また、駆動部材１０の移動側両端縁には操作辺１０ｂが設定される。操作辺１０ｂは、図３（ａ）に示すように、プラグ９が施錠回転位置にあるときに、対向する操作突起１１ｃの双方に対峙する。この状態から、図５に示すように、プラグ９をいずれか一方の解錠回転位置側に回転させると、図５（ｂ）において右側に示すように、移動先端縁となる駆動部材１０の操作辺１０ｂが対応する２個のロックピース１１の操作突起１１ｃを押し付ける。この結果、当該ロックピース１１は係止解除回転位置側に回転駆動され、このロックピース１１により拘束されていた側のチェーン状拘束体１の抜去が可能になる。
【００２４】
錠保護部材５は、以上のように、複数のチェーン挿入孔６のうち、不使用のものを閉塞して悪戯から保護するために用意される。この錠保護部材５は、錠挿入部１ｂほどには外力が負荷されないために、例えば合成樹脂材により形成することが可能であり、この実施の形態においては、合成樹脂材を射出成型して形成される。
【００２５】
図１（ｂ）に示すように、上記錠保護部材５は、チェーン挿入孔６に嵌合してチェーン挿入孔６内部、正確には係止部３を外部から隠蔽する筒状の隠蔽部８を備える。隠蔽部８の一端には、錠本体４への装着状態において錠本体４の側壁に当接するフランジ８ａが設けられる。
【００２６】
また、隠蔽部８の他端には連結部７が形成される。連結部７は錠本体４側の係止部３に連結可能な形状に形成され、この実施の形態においては、錠挿入部１ｂの被係止部２と同一形状に形成される。
【００２７】
したがってこの実施の形態において、チェーン状拘束体１を連結しないチェーン挿入孔６に錠保護装置を挿入し、錠本体４を施錠状態にするだけで、チェーン挿入孔６が完全に閉塞され、外部からの悪戯を防止できる。また、錠本体４を解錠状態にすると、錠保護装置は簡単に抜去できるために、使用感を低下させることもない。
【００２８】
なお、以上においては、チェーン状拘束体１を施錠対象物１とし、例えば二輪車等の拘束対象を間接的に拘束する錠本体４を例にとって説明したが、錠本体４は、被係止部２を備えた拘束対象に連結され、該拘束対象を直接拘束するように構成することもできる。
【図面の簡単な説明】
【００２９】
【図１】本発明を示す図で、（ａ）は錠挿入部を示す図、（ｂ）は錠保護部材を示す側面図、（ｃ）は錠本体に施錠対象物と錠保護部材を装着した状態を示す平面図、（ｄ）は（ｂ）の正面図である。
【図２】錠本体を示す図で、（ａ）は図１（ｂ）の２Ａ-２Ａ線断面図、（ｂ）は外殻部材を取り除いた図２（ａ）の２Ｂ方向矢視図である。
【図３】錠挿入部未挿入状態を示す図で、（ａ）は図２（ｂ）の３Ａ-３Ａ線断面図、（ｂ）は図２（ｂ）の３Ｂ-３Ｂ線断面図である。
【図４】錠挿入部の挿入状態を示す断面図で、（ａ）は図３（ａ）に対応する図、（ｂ）は図３（ｂ）に対応する図である。
【図５】係止解除動作を示す図で、（ａ）は図２（ｂ）に対応する図、（ｂ）は図３（ａ）に対応する図である。
【符号の説明】
【００３０】
１        施錠対象物
２        被係止部
３        係止部
４        錠本体
５        錠保護部材
６        受容孔
７        連結部
８        隠蔽部
【図１】
2006274548.tif 000003
【図２】
2006274548.tif 000004
【図３】
2006274548.tif 000005
【図４】
2006274548.tif 000006
【図５】
2006274548.tif 000007